(57)【要約】【課題】安定した燃焼状態を維持可能で、乾燥木材の品質管理が容易な燻煙乾燥設備および木材の燻煙乾燥方法を提供する。【解決手段】燃焼炉１５が、燃料を燃やして乾燥室１１に燻煙を供給する。加圧室１６が、燃焼炉１５に空気を供給する供給口３２を有している。加圧ファン１７が、制御信号により外部の空気を加圧室１６の内部に送風する。自動ダンパ１８が、制御信号により供給口３２を開閉する。温度センサ２０が乾燥室１１の室温を測定し、圧力センサ２１が加圧室１６の圧力を測定する。制御部２２が、温度センサ２０の測定温度を入力して、その測定温度が所定の設定温度より低いとき供給口３２を開き、高いとき供給口３２を閉じるよう自動ダンパ１８に制御信号を出力し、圧力センサ２１の測定圧力を入力して、その測定圧力が所定の設定圧力より低いとき回転数を上げ、高いとき回転数を下げるよう加圧ファン１７に制御信号を出力する。【選択図】図６
2006150705.tif 000002
【特許請求の範囲】
【請求項１】
乾燥室の内部に配置された木材の燻煙乾燥を行う燻煙乾燥設備であって、
燃焼炉と加圧室と加圧ファンとダンパと温度センサと圧力センサと制御部とを有し、
前記燃焼炉は燃料を燃やして前記乾燥室に燻煙を供給可能に設けられ、
前記加圧室は前記燃焼炉に空気を供給する供給口を有し、
前記加圧ファンは制御信号により外部の空気を前記加圧室の内部に送風可能に設けられ、
前記ダンパは制御信号により前記供給口を開閉可能に設けられ、
前記温度センサは前記乾燥室の室温を測定可能に設けられ、
前記圧力センサは前記加圧室の圧力を測定可能に設けられ、
前記制御部は前記温度センサの測定温度を入力して、その測定温度が所定の設定温度より低いとき前記供給口を開き、高いとき前記供給口を閉じるよう前記ダンパに制御信号を出力し、前記圧力センサの測定圧力を入力して、その測定圧力が所定の設定圧力より低いとき回転数を上げ、高いとき回転数を下げるよう前記加圧ファンに制御信号を出力する構成を有することを、
特徴とする燻煙乾燥設備。
【請求項２】
乾燥室に木材を配置し、加圧室に供給口で連通する燃焼炉で燃料を燃やして前記乾燥室に燻煙を供給し、前記乾燥室の室温を測定してその測定温度が所定の設定温度より低いとき前記供給口を開き、高いとき前記供給口を閉じ、前記加圧室の圧力を測定してその測定圧力が所定の設定圧力より低いとき前記加圧室に外部の空気を供給し、高いとき前記加圧室への外部の空気の供給を停止することを、
特徴とする木材の燻煙乾燥方法。
【発明の詳細な説明】
【技術分野】
【０００１】
本発明は、燻煙乾燥木材を製造するための燻煙乾燥設備および木材の燻煙乾燥方法に関する。
【背景技術】
【０００２】
従来の木材の燻煙乾燥方法として、木材の燻煙乾燥時に発生する燻液に、燻煙乾燥前の木材を浸した後、木材中心温度７０〜９０℃で、乾燥対象木材および外気温度に応じ５〜１０日間低温燻煙乾燥し、その後、外気温度と木材の中心温度差が８度以内になるまで放置する方法がある（特許文献１参照）。この方法では、低温燻煙乾燥の時、ファンが外部の空気を加圧室の内部に送風し、加圧室に連通する燃焼炉にその空気を供給することにより燃焼を促進させて、木材を配置した乾燥室に燻煙を供給するようになっている。加圧室から燃焼炉への空気の供給は、コンピュータ制御された空気調整ダンパーにより自動調整可能になっている。
【０００３】
【特許文献１】特開２００１−１３３１４７号公報
【発明の開示】
【発明が解決しようとする課題】
【０００４】
しかしながら、特許文献１記載の燻煙乾燥方法では、空気調整ダンパーを閉じたときファンが回転を続けるため、加圧室の圧力が上昇する。その後、空気調整ダンパーを開くと、加圧室の圧力により必要以上に燃焼炉に空気が流れ込むため、燃焼状態にムラが生じるという課題があった。このため、乾燥木材の品質にばらつきが大きくなり、品質管理が困難であるという課題もあった。
【０００５】
本発明は、このような課題に着目してなされたもので、安定した燃焼状態を維持可能で、乾燥木材の品質管理が容易な燻煙乾燥設備および木材の燻煙乾燥方法を提供することを目的としている。
【課題を解決するための手段】
【０００６】
上記目的を達成するために、本発明に係る燻煙乾燥設備は、乾燥室の内部に配置された木材の燻煙乾燥を行う燻煙乾燥設備であって、燃焼炉と加圧室と加圧ファンとダンパと温度センサと圧力センサと制御部とを有し、前記燃焼炉は燃料を燃やして前記乾燥室に燻煙を供給可能に設けられ、前記加圧室は前記燃焼炉に空気を供給する供給口を有し、前記加圧ファンは制御信号により外部の空気を前記加圧室の内部に送風可能に設けられ、前記ダンパは制御信号により前記供給口を開閉可能に設けられ、前記温度センサは前記乾燥室の室温を測定可能に設けられ、前記圧力センサは前記加圧室の圧力を測定可能に設けられ、前記制御部は前記温度センサの測定温度を入力して、その測定温度が所定の設定温度より低いとき前記供給口を開き、高いとき前記供給口を閉じるよう前記ダンパに制御信号を出力し、前記圧力センサの測定圧力を入力して、その測定圧力が所定の設定圧力より低いとき回転数を上げ、高いとき回転数を下げるよう前記加圧ファンに制御信号を出力する構成を有することを、特徴とする。
【０００７】
本発明に係る燻煙乾燥設備は、以下のようにして使用される。まず、乾燥室の内部に木材を配置した後、燃焼炉で燃料を燃やして乾燥室に燻煙を供給する。燃焼中、温度センサにより乾燥室の室温を測定し、圧力センサにより加圧室の圧力を測定する。温度センサによる測定温度が所定の設定温度より低いとき、制御部の制御信号によりダンパが加圧室の供給口を開く。このとき、圧力センサによる測定圧力が所定の設定圧力よりも低ければ、制御部の制御信号により加圧ファンが回転数を上げ、外部の空気を加圧室の内部に送風する。その空気が供給口から燃焼炉に供給されるため、燃焼炉の内部の燃焼が促進される。
【０００８】
加圧室の供給口が開いた状態で、圧力センサによる測定圧力が所定の設定圧力より高くなると、制御部の制御信号により加圧ファンが回転数を下げる。加圧ファンによる空気の送風量より、加圧室から燃焼炉に供給される空気の量が多くなると、加圧室の圧力が下がり、設定圧力より低くなると再び加圧ファンが回転数を上げる。
【０００９】
燃焼炉の燃焼が促進され、温度センサによる測定温度が所定の設定温度より高くなると、制御部の制御信号によりダンパが加圧室の供給口を閉じる。このとき、加圧ファンが外部の空気を加圧室の内部に送風するため、加圧室の圧力が上がり、設定圧力よりも高くなる。すると、制御部の制御信号により加圧ファンが回転数を下げるため、加圧室の圧力が上がり続けるのを防ぎ、加圧室の圧力を所定の圧力以下に維持することができる。
【００１０】
また、加圧室の供給口が閉じた状態では、燃焼炉に空気が供給されないため、燃焼が抑制されて乾燥室の室温が下がる。乾燥室の室温が設定温度より低くなると、再びダンパが加圧室の供給口を開く。このとき、加圧室の圧力が所定の圧力以下に維持されているため、加圧室の供給口から燃焼炉に供給される空気の量を抑えることができる。このため、燃焼状態にムラを生じにくく、安定した燃焼状態を維持することができる。また、これにより、乾燥木材の品質のばらつきを抑えることができ、品質管理が容易である。
【００１１】
本発明に係る燻煙乾燥設備で、設定温度は、乾燥させる木材の種類などに応じて任意に設定可能であることが好ましい。また、設定圧力は、燃焼させる燃料の状態や種類、燃焼炉や加圧室の気密性などに応じて任意に設定可能であることが好ましい。ダンパは、加圧室の供給口を手動で開閉可能であってもよい。制御部は、圧力センサによる測定圧力が所定の設定圧力より高いとき、回転を停止するよう加圧ファンに制御信号を出力する構成を有していてもよい。
【００１２】
本発明に係る木材の燻煙乾燥方法は、乾燥室に木材を配置し、加圧室に供給口で連通する燃焼炉で燃料を燃やして前記乾燥室に燻煙を供給し、前記乾燥室の室温を測定してその測定温度が所定の設定温度より低いとき前記供給口を開き、高いとき前記供給口を閉じ、前記加圧室の圧力を測定してその測定圧力が所定の設定圧力より低いとき前記加圧室に外部の空気を供給し、高いとき前記加圧室への外部の空気の供給を停止することを、特徴とする。
【００１３】
本発明に係る木材の燻煙乾燥方法は、本発明に係る燻煙乾燥設備により好適に実施される。乾燥室の測定温度が所定の設定温度より低く、供給口を開いたとき、加圧室の測定圧力が所定の設定圧力よりも低ければ、加圧室に外部の空気を供給する。このとき、その空気が供給口から燃焼炉に供給されて燃焼炉の内部の燃焼が促進される。
【００１４】
供給口が開いた状態で、測定圧力が所定の設定圧力より高くなると、加圧室への外部の空気の供給を停止する。このとき、加圧室の内部の空気が燃焼炉に供給されるため、加圧室の圧力が下がり、設定圧力より低くなると再び加圧室に外部の空気を供給する。
【００１５】
燃焼炉の燃焼が促進され、乾燥室の測定温度が所定の設定温度より高くなると、供給口を閉じる。このとき、加圧室に外部の空気を供給するため、加圧室の圧力が上がり、設定圧力よりも高くなる。すると、加圧室への外部の空気の供給を停止するため、加圧室の圧力が上がり続けるのを防ぎ、加圧室の圧力を所定の圧力以下に維持することができる。
【００１６】
また、供給口が閉じた状態では、燃焼炉に空気が供給されないため、燃焼が抑制されて乾燥室の室温が下がる。乾燥室の室温が設定温度より低くなると、供給口を開く。このとき、加圧室の圧力が所定の圧力以下に維持されているため、加圧室の供給口から燃焼炉に供給される空気の量を抑えることができる。このため、燃焼状態にムラを生じにくく、安定した燃焼状態を維持することができる。また、これにより、乾燥木材の品質のばらつきを抑えることができ、品質管理が容易である。
【００１７】
本発明に係る木材の燻煙乾燥方法で、設定温度は、乾燥させる木材の種類などに応じて任意に設定可能であることが好ましい。また、設定圧力は、燃焼させる燃料の状態や種類、燃焼炉や加圧室の気密性などに応じて任意に設定可能であることが好ましい。
【発明の効果】
【００１８】
本発明によれば、安定した燃焼状態を維持可能で、乾燥木材の品質管理が容易な燻煙乾燥設備および木材の燻煙乾燥方法を提供することができる。
【発明を実施するための最良の形態】
【００１９】
以下、図面に基づき、本発明の実施の形態について説明する。
図１乃至図７は、本発明の実施の形態の燻煙乾燥設備および木材の燻煙乾燥方法を示している。
図１乃至図７に示すように、燻煙乾燥設備１０は、乾燥室１１と風除室１２と制御室１３と機械室１４と燃焼炉１５と加圧室１６と加圧ファン１７と自動ダンパ１８と手動ダンパ１９と温度センサ２０ａ，２０ｂ，２０ｃと圧力センサ２１と制御部２２とを有している。
【００２０】
図４に示すように、乾燥室１１は、気密性を有し、内壁２３と外壁２４と扉２５とを有している。図１乃至図４に示すように、内壁２３は、ステンレス製で熱伝導構造を有し、外壁２４は、断熱性のパネルから成り断熱構造を有している。図１および図２に示すように、扉２５は、断熱性を有し、内部に出入り可能に乾燥室１１の正面側に設けられている。
【００２１】
図１乃至図４に示すように、乾燥室１１は、排出バルブ２６と送風装置２７と空気循環装置２８を有している。排出バルブ２６は、乾燥室１１の側部に、内壁２３および外壁２４を貫通して乾燥室１１の内部と外部とを連通するよう設けられている。排出バルブ２６は、乾燥室１１の内壁２３の内面に結露した水を外部に排出するようになっている。送風装置２７は、乾燥室１１上部の屋根の上に設けられた排気装置２７ａと、乾燥室１１の側部に設けられた吸気装置２７ｂとを有している。排気装置２７ａおよび吸気装置２７ｂは、風量調節可能なベンチレーターから成る。送風装置２７は、吸気装置２７ｂから乾燥室１１の内部に外気を取り入れ、排気装置２７ａから乾燥室１１の外部に排気するよう設けられている。図４および図７に示すように、空気循環装置２８は、乾燥室１１の室内の上部に設けられている。空気循環装置２８は、乾燥室１１の室内の空気を一定速度で対流させるようになっている。
【００２２】
図５および図６に示すように、風除室１２は、燻煙乾燥設備１０の背面側に設けられ、燻煙乾燥設備１０の一方の側部の出入口１２ａから出入り可能になっている。制御室１３は、風除室１２から出入り可能に、風除室１２の隣に設けられている。図２および図６に示すように、機械室１４は、燻煙乾燥設備１０の背面側の、風除室１２と反対の側部から上部にかけて設けられている。機械室１４は、内部に室内循環ブロワ２９を有している。室内循環ブロワ２９は、ダクト３０を介して空気循環装置２８に接続され、空気循環装置２８を制御可能に構成されている。
【００２３】
図５および図６に示すように、燃焼炉１５は、乾燥室１１の地下に設けられている。燃焼炉１５は、複数の細長い空間３１に分割され、中央に設けられたメイン炉１５ａと、その両脇に設けられた補助炉１５ｂとを有している。燃焼炉１５は、製材所等から出る木屑、廃材、解体材等を燃料として燃やし、乾燥室１１を直接加熱して、乾燥室１１に燻煙を供給可能に設けられている。
【００２４】
図５および図６に示すように、加圧室１６は、気密性を有し、乾燥室１１の地下に、燃焼炉１５の各空間３１の一端側に隣接して設けられている。加圧室１６は、燃焼炉１５に空気を供給する複数の供給口３２を有している。供給口３２は、燃焼炉１５の各空間３１に連通するよう、各空間３１に対してそれぞれ１対ずつ設けられている。加圧室１６は、制御室１３から出入り可能な入口空間１６ａから、階段を利用して出入りするようになっている。なお、加圧室１６には、監視カメラ３３が設置されている。
【００２５】
図６に示すように、加圧ファン１７は、機械室１４の内部に設けられ、ダクト１７ａを介して加圧室１６に連通している。加圧ファン１７は、制御信号により外部の空気を加圧室１６の内部に送風可能に設けられている。
図５および図６に示すように、自動ダンパ１８および手動ダンパ１９は、加圧室１６の内部に設けられている。自動ダンパ１８は、燃焼炉１５の各空間３１に対して設けられた各対の供給口３２のうち、一方の供給口３２に設けられている。自動ダンパ１８は、制御信号により各供給口３２を開閉可能である。手動ダンパ１９は、各対の供給口３２のうち、他方の供給口３２に設けられている。手動ダンパ１９は、各供給口３２を手動で開閉可能である。
【００２６】
図４に示すように、温度センサ２０ａ，２０ｂ，２０ｃは、測温抵抗体温度センサから成り、乾燥室１１の室温を測定可能に、乾燥室１１の室内の下部、上部および中部の３箇所に取り付けられている。乾燥室１１の室内の下部の温度センサ２０ａは、木材１を載せる架台２の高さに取り付けられている。上部の温度センサ２０ｂは、木材１を最高に積み上げたときの高さに取り付けられている。中部の温度センサ２０ｃは、それらの中間の高さに取り付けられている。
図５に示すように、圧力センサ２１は、微差圧センサから成り、加圧室１６の圧力を測定可能に、加圧室１６の壁面に取り付けられている。
【００２７】
図５および図６に示すように、制御部２２は、制御室１３の内部に設けられ、制御盤３４と制御コンピュータ３５と監視モニタ３６とを有している。制御盤３４は、温度センサ２０ａ，２０ｂ，２０ｃおよび圧力センサ２１に接続され、それらの測定値を入力して表示可能になっている。また、制御盤３４は、排出バルブ２６、送風装置２７、室内循環ブロワ２９、加圧ファン１７および自動ダンパ１８に接続され、それらに制御信号を出力可能になっている。なお、制御盤３４は、温度センサ２０ａ，２０ｂ，２０ｃの測定温度および圧力センサ２１の測定圧力に異常が認められた場合に、複数箇所に通報可能であってもよい。
【００２８】
制御コンピュータ３５は、パソコンから成り、制御盤３４に接続されている。制御コンピュータ３５は、制御盤３４から温度センサ２０ａ，２０ｂ，２０ｃの測定温度を入力して、その測定温度の平均値が所定の設定温度より低いとき供給口３２を開き、高いとき供給口３２を閉じるよう、制御盤３４を介して自動ダンパ１８に制御信号を出力するようになっている。設定温度は、乾燥させる木材１の種類などに応じて任意に設定可能になっている。また、制御コンピュータ３５は、圧力センサ２１の測定圧力を入力して、その測定圧力が所定の設定圧力より低いとき回転数を上げ、高いとき回転数を下げるよう、制御盤３４を介して加圧ファン１７に制御信号を出力するようになっている。設定圧力は、燃焼させる燃料の状態や種類、燃焼炉１５や加圧室１６の気密性などに応じて任意に設定可能になっている。
【００２９】
さらに、制御コンピュータ３５は、温度センサ２０ａ，２０ｂ，２０ｃの測定温度により、乾燥室１１の室内の温度が均一になるよう、制御盤３４を介して室内循環ブロワ２９に制御信号を出力するようになっている。制御コンピュータ３５は、温度センサ２０ａ，２０ｂ，２０ｃの測定温度や時間設定により、乾燥室１１の室内の湿度を調節するよう、制御盤３４を介して送風装置２７や排出バルブ２６に制御信号を出力するようになっている。制御コンピュータ３５は、乾燥工程の終了の目安にするために、温度センサ２０ａ，２０ｂ，２０ｃの測定温度と外気温度との温度差を監視可能になっている。なお、制御コンピュータ３５は、温度センサ２０ａ，２０ｂ，２０ｃの測定温度や圧力センサ２１の測定圧力などの各種制御情報を保存、印刷可能であってもよい。
監視モニタ３６は、加圧室１６に設置された監視カメラ３３に接続され、監視カメラ３３の映像を出力可能になっている。
【００３０】
なお、具体的な一例では、設定温度は７５度から９５度で、木材１がカラマツのとき７５度、杉のとき８５度、双方を混在させたとき８０度に設定する。設定圧力は２気圧から３気圧で、燃焼炉１５や加圧室１６の気密性により燃焼状態が変わるため、初回の燃焼時に調整して設定する。
【００３１】
次に、作用について説明する。
燻煙乾燥設備１０は、以下に示す木材の燻煙乾燥方法により好適に使用される。
図４に示すように、まず、燻煙処理用の木材１を架台２の上に並べて積み上げる。このとき、隣り合う木材１の間にも空気が循環するようスペーサを挟み、木材同士の間隔を開けるようにする。この木材１を、図２に示すフォークリフト３により、正面の扉２５から架台２ごと乾燥室１１の室内に搬入し、図４および図７に示すように配置する。
【００３２】
燃焼炉１５で燃料を燃やして乾燥室１１に燻煙を供給する。燃焼中、温度センサ２０ａ，２０ｂ，２０ｃにより乾燥室１１の室温を測定し、圧力センサ２１により加圧室１６の圧力を測定する。温度センサ２０ａ，２０ｂ，２０ｃによる測定温度の平均値が所定の設定温度より低いとき、制御コンピュータ３５の制御信号により自動ダンパ１８が加圧室１６の供給口３２を開く。このとき、圧力センサ２１による測定圧力が所定の設定圧力よりも低ければ、制御コンピュータ３５の制御信号により加圧ファン１７が回転数を上げ、外部の空気を加圧室１６の内部に送風する。その空気が供給口３２から燃焼炉１５に供給されるため、燃焼炉１５の内部の燃焼が促進される。
【００３３】
加圧室１６の供給口３２が開いた状態で、圧力センサ２１による測定圧力が所定の設定圧力より高くなると、制御コンピュータ３５の制御信号により加圧ファン１７が回転数を下げる。加圧ファン１７による空気の送風量より、加圧室１６から燃焼炉１５に供給される空気の量が多くなると、加圧室１６の圧力が下がり、設定圧力より低くなると再び加圧ファン１７が回転数を上げる。
【００３４】
燃焼炉１５の燃焼が促進され、温度センサ２０ａ，２０ｂ，２０ｃによる測定温度の平均値が所定の設定温度より高くなると、制御コンピュータ３５の制御信号により自動ダンパ１８が加圧室１６の供給口３２を閉じる。このとき、加圧ファン１７が外部の空気を加圧室１６の内部に送風するため、加圧室１６の圧力が上がり、設定圧力よりも高くなる。すると、制御コンピュータ３５の制御信号により加圧ファン１７が回転数を下げるため、加圧室１６の圧力が上がり続けるのを防ぎ、加圧室１６の圧力を所定の圧力以下に維持することができる。
【００３５】
また、加圧室１６の供給口３２が閉じた状態では、燃焼炉１５に空気が供給されないため、燃焼が抑制されて乾燥室１１の室温が下がる。乾燥室１１の室温が設定温度より低くなると、再び自動ダンパ１８が加圧室１６の供給口３２を開く。このとき、加圧室１６の圧力が所定の圧力以下に維持されているため、加圧室１６の供給口３２から燃焼炉１５に供給される空気の量を抑えることができる。このため、燃焼状態にムラを生じにくく、安定した燃焼状態を維持することができ、乾燥室１１の室温を所定の設定温度に維持することができる。また、これにより、乾燥木材１の品質のばらつきを抑えることができ、品質管理が容易である。
【００３６】
設定温度を維持することにより、木材１が含む水分を蒸発させて、木材１を乾燥させることができる。このとき、設定温度を１００度より低く設定し、低温燻煙乾燥を行う。これにより、木材１の細胞が破壊されたり、木肌の良さが失われたり、木材１にねじれや割れが発生したりするのを防ぐことができる。
また、燃焼とともに酸性の燻液を蒸発させる。これにより、木材１を軟らかくし、乾燥効率を向上させることができる。また、燻液の成分が木材１の中心まで含浸するため、防腐・防虫効果が高くなる。
【００３７】
あらかじめ設定した時間、設定温度を維持した後、燃焼炉１５の燃焼を止める。制御コンピュータ３５により、温度センサ２０ａ，２０ｂ，２０ｃの測定温度と外気温度との温度差を監視して、温度差が５〜１０度以内になったとき全乾燥工程を終了とする。
【００３８】
なお、全乾燥工程を通して、制御部２２により室内循環ブロワ２９を制御し、空気循環装置２８を作動させる。これにより、乾燥室１１の室内の空気を対流させて、乾燥室１１の室内の温度や湿度にムラが生じるのを防ぎ、乾燥した木材１の品質を一定に保つことができる。また、自動ダンパ１８で制御しきれない事態が生じたとき、作業者が手動ダンパ１９を動かして各供給口３２を開閉することができる。
【図面の簡単な説明】
【００３９】
【図１】本発明の実施の形態の燻煙乾燥設備を示す正面図である。
【図２】図１に示す燻煙乾燥設備の右側面図である。
【図３】図１に示す燻煙乾燥設備の背面図である。
【図４】図２に示す燻煙乾燥設備のＡ−Ａ線断面図である。
【図５】図１に示す燻煙乾燥設備のＢ−Ｂ線断面図である。
【図６】図２に示す燻煙乾燥設備のＣ−Ｃ線断面図である。
【図７】図１に示す燻煙乾燥設備のＤ−Ｄ線断面図である。
【符号の説明】
【００４０】
１    木材
２    架台
３    フォークリフト
１０  燻煙乾燥設備
１１  乾燥室
１２  風除室
１３  制御室
１４  機械室
１５  燃焼炉
１６  加圧室
１７  加圧ファン
１８  自動ダンパ
１９  手動ダンパ
２０ａ，２０ｂ，２０ｃ  温度センサ
２１  圧力センサ
２２  制御部
２３  内壁
２４  外壁
２５  扉
２６  排出バルブ
２７  送風装置
２７ａ  排気装置
２７ｂ  吸気装置
２８  空気循環装置
２９  室内循環ブロワ
３０  ダクト
３１  空間
３２  供給口
３３  監視カメラ
３４  制御盤
３５  制御コンピュータ
３６  監視モニタ
【図１】
2006150705.tif 000003
【図２】
2006150705.tif 000004
【図３】
2006150705.tif 000005
【図４】
2006150705.tif 000006
【図５】
2006150705.tif 000007
【図６】
2006150705.tif 000008
【図７】
2006150705.tif 000009